(57)【要約】【課題】光と音とを、これらを拡散させることなく、これらを利用しようとする者のみに対し最も利用しやすい態様で供給できるようにする。【解決手段】環状パーツ１１の内方側においてコアパーツ１０を支持するようにしたインナーフレーム１３と、外周パーツ１２の内方側において環状パーツ１１を支持するようにしたアウターフレーム１４とを備えてなるヘッド体１とを備えている。指向性を持った光を生じさせる光源２及び指向性を持った音を生じさせるスピーカー３のいずれか一方が、ヘッド体１のコアパーツ１０に備えられ、かつ、前記光源２及び前記スピーカー３の少なくとも他方が、ヘッド体１の環状パーツ１１に備えられている。【選択図】図５
2008301326.tif 000002
【特許請求の範囲】
【請求項１】
コアパーツと、
環状パーツと、
外周パーツと、
フレーム自由端部をコアパーツに対し少なくともＸ方向に沿った軸線を中心とした回動可能に組み付けさせると共に、フレーム基部を環状パーツに対し少なくともＸ方向に沿った軸線及びこのＸ方向に直交するＹ方向に沿った軸線を中心とした回動可能に組み付けさせて、環状パーツの内方側においてコアパーツを支持するようにしたインナーフレームと、
フレーム自由端部を環状パーツに対し少なくともＸ方向に沿った軸線を中心とした回動可能に組み付けさせると共に、フレーム基部を外周パーツに対し少なくともＸ方向に沿った軸線及びこのＸ方向に直交するＹ方向に沿った軸線を中心とした回動可能に組み付けさせて、外周パーツの内方側において環状パーツを支持するようにしたアウターフレームとを備えてなるヘッド体を備えていると共に、
指向性を持った光を生じさせる光源及び指向性を持った音を生じさせるスピーカーのいずれか一方が、ヘッド体のコアパーツに備えられ、
かつ、前記光源及び前記スピーカーの少なくとも他方が、ヘッド体の環状パーツに備えられていることを特徴とするライト付きスピーカー装置。
【請求項２】
環状パーツが、第一環状パーツと、この第一環状パーツを内側に納める大きさを持った第二環状パーツとから構成されていると共に、
第一環状パーツの内方側においてインナーフレームによりコアパーツが支持され、
外周パーツの内方側においてアウターフレームにより第二環状パーツが支持され、
かつ、フレーム自由端部を第一環状パーツに対し少なくともＸ方向に沿った軸線を中心とした回動可能に組み付けさせると共に、フレーム基部を第二環状パーツに対し少なくともＸ方向に沿った軸線及びこのＸ方向に直交するＹ方向に沿った軸線を中心とした回動可能に組み付けさせて、第二環状パーツの内方側において第一環状パーツを支持するようにした追加インナーフレームを備えていることを特徴とする請求項１記載のライト付きスピーカー装置。
【発明の詳細な説明】
【技術分野】
【０００１】
この発明は、光と音とを、これらを拡散させることなく、これらを利用しようとする者に対し最も利用しやすい態様で供給できるようにした、ライト付きスピーカー装置に関する。
【背景技術】
【０００２】
スピーカーと照明用ランプとを収納したボックスをリフレクターホーン内に配置し、このリフレクターホーンの真下に光と音とを共に指向させるようにしたスピーカー装置がある。（特許文献１参照）しかるに、かかるスピーカー装置にあっては、光と音はリフレクターホーンの直下に指向されるだけであり、また、光の指向方向と音の指向方向とを異ならせるようにすることもできない。また、リフレクターホーンによる反射では光と音はある程度の拡散を生じてしまう。
【０００３】
病室、図書館の閲覧室、飛行機や船などの交通機関の客室、公的機関の休息スペース、民営の施設において個人用に貸し出されるスペースなどにおいては、個人用の照明がしばしば設けられるが光の拡散を防ぐためにカーテンやパーテーションなどの遮光設備を設けることが余儀なくされている。こうした遮光設備は、空間の有効利用の妨げとなると共に、開放感を喪失させるものともなる。また、こうした場所では音楽や音声の提供がなされる場合もあるが、イヤホンやヘッドホンによるのが通例である。
【特許文献１】特開平５−１９９５８３号公報
【発明の開示】
【発明が解決しようとする課題】
【０００４】
この発明が解決しようとする主たる問題点は、典型的にはパブリックスペースなどにおいて、光と音とを、これらを拡散させることなく、これらを利用しようとする者のみに対し最も利用しやすい態様で供給できるようにする点にある。
【課題を解決するための手段】
【０００５】
前記課題を達成するために、この発明にあっては、ライト付きスピーカー装置を、以下の（１）〜（７）の構成を備えたものとした。
（１）コアパーツと、
（２）環状パーツと、
（３）外周パーツと、
（４）フレーム自由端部をコアパーツに対し少なくともＸ方向に沿った軸線を中心とした回動可能に組み付けさせると共に、フレーム基部を環状パーツに対し少なくともＸ方向に沿った軸線及びこのＸ方向に直交するＹ方向に沿った軸線を中心とした回動可能に組み付けさせて、環状パーツの内方側においてコアパーツを支持するようにしたインナーフレームと、
（５）フレーム自由端部を環状パーツに対し少なくともＸ方向に沿った軸線を中心とした回動可能に組み付けさせると共に、フレーム基部を外周パーツに対し少なくともＸ方向に沿った軸線及びこのＸ方向に直交するＹ方向に沿った軸線を中心とした回動可能に組み付けさせて、外周パーツの内方側において環状パーツを支持するようにしたアウターフレームとを備えてなるヘッド体を備えていると共に、
（６）指向性を持った光を生じさせる光源及び指向性を持った音を生じさせるスピーカーのいずれか一方が、ヘッド体のコアパーツに備えられ、
（７）かつ、前記光源及び前記スピーカーの少なくとも他方が、ヘッド体の環状パーツに備えられている。
【０００６】
外周パーツに対し環状パーツはＸ方向に沿った軸線を中心として回動させることができ、かつ、Ｙ方向に沿った軸線を中心として回動させることもできる。これにより、環状パーツ及びコアパーツを全体として任意の所望の向きに向けることができる。また、環状パーツに対しコアパーツはＸ方向に沿った軸線を中心として回動させることができ、かつ、Ｙ方向に沿った軸線を中心として回動させることもできる。これにより、環状パーツとは別にさらにコアパーツを任意の所望の向きに向けることができる。また、インナーフレームに対しコアパーツは少なくともＸ方向に沿った軸線を中心として回動させることができ、また、アウターフレームに対し環状パーツは少なくともＸ方向に沿った軸線を中心として回動させることができ、これにより、インナーフレームのフレーム自由端部側においてコアパーツの向きをさらに変え、また、アウターフレームのフレーム自由端部側において環状パーツの向きをさらに変えることができる。これにより、かかるライト付きスピーカー装置によれば、光源から生じる光とスピーカーから生じる音を、所望の同じ向きに指向させることができると共に、この光と音とを所望の異なる向きに指向させることもできる。かかる光と音はそれぞれ指向性を持ったものであることから、これを利用する者の周囲に拡散することがなく、こうした拡散を阻止するための例えばカーテンやパーテーションなどを必要としない特長を有する。
【０００７】
前記環状パーツを、第一環状パーツと、この第一環状パーツを内側に納める大きさを持った第二環状パーツとから構成させると共に、
第一環状パーツの内方側においてインナーフレームによりコアパーツを支持させ、
外周パーツの内方側においてアウターフレームにより第二環状パーツを支持させ、
かつ、フレーム自由端部を第一環状パーツに対し少なくともＸ方向に沿った軸線を中心とした回動可能に組み付けさせると共に、フレーム基部を第二環状パーツに対し少なくともＸ方向に沿った軸線及びこのＸ方向に直交するＹ方向に沿った軸線を中心とした回動可能に組み付けさせて、第二環状パーツの内方側において第一環状パーツを支持するようにしておくこともある。
【０００８】
このようにした場合、例えば、コアパーツに光源を、第一環状パーツにスピーカーを、第二環状パーツに光源をそれぞれ配した場合には、ライト付きスピーカー装置より指向性を持った光を異なる二箇所に照射させるようにすることができ、例えば、ライト付きスピーカー装置の直下において位置を異ならせる二人の利用者にそれぞれかかる光を供給させるようにすることができる。また、例えば、コアパーツに光源を、第一環状パーツにスピーカーを、第二環状パーツにスピーカーをそれぞれ配した場合や、コアパーツにスピーカーを、第一環状パーツに光源を、第二環状パーツにスピーカーをそれぞれ配した場合には、ライト付きスピーカー装置より指向性を持った音を異なる二箇所に向けて送るようにすることができ、例えば、ライト付きスピーカー装置の直下において位置を異ならせる二人の利用者にそれぞれかかる音を供給させるようにすることができる。
【発明の効果】
【０００９】
この発明にかかるライト付きスピーカー装置によれば、指向性を持った光と音とを、ヘッド体を構成するコアパーツと、環状パーツの向きを自由度高く変えることで、これらを利用しようとする者のみに対し最も利用しやすい態様で供給することができ、パブリックスペースなどに仕切りなどを設けることなく、設置させることができる。
【発明を実施するための最良の形態】
【００１０】
以下、図１〜図９に基づいて、この発明を実施するための最良の形態について説明する。
【００１１】
なお、ここで、図１〜図５はヘッド体１の支持体４をスタンド状のものとした例を、図６〜図８はヘッド体１の支持体４をこれを吊り下げ状に支持するものとした例を、図９はヘッド体１の環状パーツ１１を内外二つにさらに分けた例を、それぞれ示している。図１と図６は側面構成図であり、図４と図７は平面構成図、図５と図８と図９は底面構成図である。ヘッド体１の一方端面１０ａと環状パーツ１１の下面１１ｃとを共に水平にさせるようにした基準状態においては、これらは外周パーツ１２の下端と上端との間に側方から見た状態で納まるようになっている。（図１、図６）図２及び図３は、図１のヘッド体１のみを断面にして示しており、図３は特にコアパーツ１０の一方端面１０ａの指向方向と、環状パーツ１１の下面１１ｃの指向方向を異ならせた一可動後態様を示している。
【００１２】
この実施の形態にかかるライト付きスピーカー装置は、光と音とを、これらを拡散させることなく、これらを利用しようとする者に対し最も利用しやすい態様で供給できるようにするものである。
【００１３】
かかるスピーカー装置は、ヘッド体１を備えてなる。図示の例では、かかるスピーカー装置は、さらに支持体４を備えてなる。かかるスピーカー装置は、ヘッド体１の後述する外周パーツ１２を天井などに直接取り付けるなどして用いることもできる。ヘッド体１に光源２とスピーカー３が備えられる。
【００１４】
光源２は指向性を持った光を生じさせるものとされる。かかる光源２としては、典型的には、ビーム状をなす光を発生させる光源ユニットを用いる。例えば、リフレクターやレンズによって生じさせる光に指向性を付与するように構成された発光体をＬＥＤとした光源ユニットや、発光体を電球とした光源ユニットを用いることができる。
【００１５】
スピーカー３は指向性を持った音を生じさせるものとされる。かかるスピーカー３としては、典型的には、パラメトリックスピーカー（超音波スピーカー）などのビーム状をなす音場を発生させるスピーカーユニットを用いる。
【００１６】
支持体４は、典型的には、前記ヘッド体１を利用者の上方に支持するように構成される。図１〜図５に示される例では、かかる支持体４はスタンド状に構成され、床や机上に起立上に設置されてその上端部においてヘッド体１を支持するようになっている。また、図６〜図８に示される例では、かかる支持体４は天井などから吊り下げられる棒状体４５として構成され、その下端部４５ａにおいてヘッド体１を吊り下げ状に支持するようになっている。
【００１７】
ヘッド体１は、次の要素を含んで構成される。
（１）コアパーツ１０
（２）環状パーツ１１
（３）外周パーツ１２
（４）インナーフレーム１３
（５）アウターフレーム１４
【００１８】
コアパーツ１０はヘッド体１の中央に配される。図示の例では、コアパーツ１０は短寸の円柱状をなすように構成されている。コアパーツ１０の一方の端面１０ａが基本的には下方に向けられ、この端面１０ａに前記光源２又はスピーカー３の出力部分が位置されるようにコアパーツ１０にかかる光源２又はスピーカー３が備え付けられる。図示の例では、かかるコアパーツ１０の端面１０ａの略中央に三つの光源２が取り付けられている。
【００１９】
環状パーツ１１はコアパーツ１０の外側に配される。図示の例では、環状パーツ１１は短寸の筒状をなす枠部１１ａと、この枠部１１ａの一端側に形成された内向きの周回フランジ状部１１ｂとを備えてなる。周回フランジ状部１１ｂの内周はコアパーツ１０よりも十分に大きく、コアパーツ１０は後述するインナーフレーム１３によって基本的には環状パーツ１１の略中央に支持される。この枠部１１ａの一端側が基本的には下方に向けられ、前記周回フランジ状部１１ｂの下面１１ｃに前記光源２又はスピーカー３の出力部分が位置されるように環状パーツ１１にかかる光源２又はスピーカー３が備え付けられる。図示の例では、かかる環状パーツ１１の周回フランジ状部１１ｂに、この環状パーツ１１の周回方向に亘って、隣り合うスピーカー３との間に大きな間隔を開けることなく、複数のスピーカー３が並び設けられている。
【００２０】
外周パーツ１２は環状パーツ１１の外側に配される。図示の例では、外周パーツ１２は短寸の筒状をなす枠体として構成されている。外周パーツ１２の内周は環状パーツ１１の外周より大きく、環状パーツ１１は後述するアウターフレーム１４によって、かかる外周パーツ１２の内面と環状パーツ１１の外面との間にその全周に亘り一定の隙間を開けるようにした状態で、支持される。
【００２１】
図１〜図５に示される例では、スタンド状をなす支持体４の上端部４０は、半円弧状をなすアーム体４１によって構成されている。このアーム体４１はその長さ方向略中程の位置において支持体４を構成するポール４２の上端に横向きの軸４３を持って組み付けられている。アーム体４１の両端部間の間隔は外周パーツ１２の直径と略等しい。外周パーツ１２は、その直径方向の両側位置においてそれぞれ、アーム体４１の端部に対し前記軸４３と平行な横向きの軸４４によって回動可能に組み合わされている。
【００２２】
また、図６〜図８に示される例では、棒状をなす支持体４の下端部４５ａは、外周パーツ１２の中心を通るようにしてその両端をそれぞれこの外周パーツ１２に固定させた横架材４６の長さ方向略中央位置に固定されている。
【００２３】
インナーフレーム１３は、フレーム自由端部１３ａをコアパーツ１０に対しＸ方向に沿った軸線を中心とした回動可能に組み付けさせると共に、フレーム基部１３ｂを環状パーツ１１に対しＸ方向に沿った軸線及びこのＸ方向に直交するＹ方向に沿った軸線を中心とした回動可能に組み付けさせて、環状パーツ１１の内方側においてコアパーツ１０を支持するように構成されている。図示の例では、Ｙ方向はヘッド体１の中心からの放射方向であり、このＹ方向に沿った軸線は、ヘッド体１の中心から放射方向に延びる仮想の直線に沿ったものとなっている。
【００２４】
図示の例では、インナーフレーム１３は、一対のアームパーツ１３ｃ、１３ｃと、基部パーツ１３ｄとから構成されている。基部パーツ１３ｄは一対のアームパーツ１３ｃ、１３ｃの一端部間にあって、前記Ｘ方向に沿った軸線を軸中心線としたＸ軸体ｘａによってこの一対のアームパーツ１３ｃ、１３ｃを回動可能に組み合わせ支持すると共に、前記Ｙ方向に沿った軸線を軸中心線としたＹ軸体ｙａによって環状パーツ１１に回動可能に組み合わされている。かかる一対のアームパーツ１３ｃ、１３ｃはそれぞれその他端部に向かうに連れて他方のアームパーツから離れる向きに湾曲されており、前記のように基部パーツ１３ｄに組み合わされた一対のアームパーツ１３ｃ、１３ｃの他端部間にはコアパーツ１０の直径と略等しい間隔が形成されている。コアパーツ１０は、その直径方向の両側位置においてそれぞれ、一対のアームパーツ１３ｃ、１３ｃの他端部に対し前記Ｘ方向に沿った軸線を軸中心線としたＸ軸体ｘａによって回動可能に組み合わされている。かかるＸ軸体ｘａおよびＹ軸体ｙａの二軸による組み合わせ箇所のこの組み合わせは、ユニバーサルジョイントや球面軸受けを用いて組み合わせても良い。また、かかるＸ軸体ｘａの一軸による組み合わせ箇所のこの組み合わせも、ユニバーサルジョイントや球面軸受けを用いて組み合わせても良い。（以下に説明するアウターフレーム１４、追加インナーフレーム１５においても同様である。）
【００２５】
アウターフレーム１４は、フレーム自由端部１４ａを環状パーツ１１に対しＸ方向に沿った軸線を中心とした回動可能に組み付けさせると共に、フレーム基部１４ｂを外周パーツ１２に対しＸ方向に沿った軸線及びこのＸ方向に直交するＹ方向に沿った軸線を中心とした回動可能に組み付けさせて、外周パーツ１２の内方側において環状パーツ１１を支持するように構成されている。
【００２６】
図示の例では、アウターフレーム１４も、一対のアームパーツ１４ｃ、１４ｃと、基部パーツ１４ｄとから構成されている。基部パーツ１４ｄは一対のアームパーツ１４ｃ、１４ｃの一端部間にあって、前記Ｘ方向に沿った軸線を軸中心線としたＸ軸体ｘａによってこの一対のアームパーツ１４ｃ、１４ｃを回動可能に組み合わせ支持すると共に、前記Ｙ方向に沿った軸線を軸中心線としたＹ軸体ｙａによって外周パーツ１２に回動可能に組み合わされている。かかる一対のアームパーツ１４ｃ、１４ｃもそれぞれその他端部に向かうに連れて他方のアームパーツから離れる向きに湾曲されており、前記のように基部パーツ１４ｄに組み合わされた一対のアームパーツ１４ｃ、１４ｃの他端部間には環状パーツ１１の直径と略等しい間隔が形成されている。環状パーツ１１は、その直径方向の両側位置においてそれぞれ、一対のアームパーツ１４ｃ、１４ｃの他端部に対し前記Ｘ方向に沿った軸線を軸中心線としたＸ軸体ｘａによって回動可能に組み合わされている。
【００２７】
図示の例では、インナーフレーム１３のフレーム基部１４ｂと環状パーツ１１との組み付け箇所の対向位置に、アウターフレーム１４のフレーム基部１４ｂと外周パーツ１２の組み付け箇所が位置されるようになっている。
【００２８】
そして、前記光源２及び前記スピーカー３のいずれか一方を、ヘッド体１のコアパーツ１０に備えさせ、かつ、この光源２及びスピーカー３の少なくとも他方を、ヘッド体１の環状パーツ１１に備えさせている。
【００２９】
外周パーツ１２に対し環状パーツ１１はＸ方向に沿った軸線を中心として回動させることができ、かつ、Ｙ方向に沿った軸線を中心として回動させることもできる。これにより、環状パーツ１１及びコアパーツ１０を全体として任意の所望の向きに向けることができる。また、環状パーツ１１に対しコアパーツ１０はＸ方向に沿った軸線を中心として回動させることができ、かつ、Ｙ方向に沿った軸線を中心として回動させることもできる。これにより、環状パーツ１１とは別にさらにコアパーツ１０を任意の所望の向きに向けることができる。また、インナーフレーム１３に対しコアパーツ１０はＸ方向に沿った軸線を中心として回動させることができ、これにより、インナーフレーム１３のフレーム自由端部１３ａ側においてコアパーツ１０の向きをさらに変えることができる。また、アウターフレーム１４に対し環状パーツ１１はＸ方向に沿った軸線を中心として回動させることができ、これにより、アウターフレーム１４のフレーム自由端部１４ａ側において環状パーツ１１の向きをさらに変えることができる。これにより、この実施の形態にかかるライト付きスピーカー３装置によれば、光源２から生じる光とスピーカー３から生じる音を、所望の同じ向きに指向させることができると共に、この光と音とを所望の異なる向きに指向させることもできる。かかる光と音はそれぞれ指向性を持ったものであることから、これを利用する者の周囲に拡散することがなく、こうした拡散を阻止するための例えばカーテンやパーテーションなどを必要としない特長を有する。
【００３０】
図９は、環状パーツ１１を、さらに、第一環状パーツ１１’と、この第一環状パーツ１１’を内側に納める大きさを持った第二環状パーツ１１”の二つから構成させた例を示している。
【００３１】
この例では、第一環状パーツ１１’の内方側においてインナーフレーム１３によりコアパーツ１０が支持され、
外周パーツ１２の内方側においてアウターフレーム１４により第二環状パーツ１１”が支持され、
かつ、フレーム自由端部１５ａを第一環状パーツ１１’に対しＸ方向に沿った軸線を中心とした回動可能に組み付けさせると共に、フレーム基部１５ｂを第二環状パーツ１１”に対しＸ方向に沿った軸線及びこのＸ方向に直交するＹ方向に沿った軸線を中心とした回動可能に組み付けさせて、第二環状パーツ１１”の内方側において第一環状パーツ１１’を支持するようにした追加インナーフレーム１５を備えている。
【００３２】
図示の例では、追加インナーフレーム１５も、一対のアームパーツ１５ｃ、１５ｃと、基部パーツ１５ｄとから構成されている。基部パーツ１５ｄは一対のアームパーツ１５ｃ、１５ｃの一端部間にあって、前記Ｘ方向に沿った軸線を軸中心線としたＸ軸体ｘａによってこの一対のアームパーツ１５ｃ、１５ｃを回動可能に組み合わせ支持すると共に、前記Ｙ方向に沿った軸線を軸中心線としたＹ軸体ｙａによって第二環状パーツ１１”に回動可能に組み合わされている。かかる一対のアームパーツ１５ｃ、１５ｃもそれぞれその他端部に向かうに連れて他方のアームパーツから離れる向きに湾曲されており、前記のように基部パーツ１５ｄに組み合わされた一対のアームパーツ１５ｃ、１５ｃの他端部間には第一環状パーツ１１’の直径と略等しい間隔が形成されている。第一環状パーツ１１’は、その直径方向の両側位置においてそれぞれ、一対のアームパーツ１５ｃ、１５ｃの他端部に対し前記Ｘ方向に沿った軸線を軸中心線としたＸ軸体ｘａによって回動可能に組み合わされている。
【００３３】
このようにした場合、例えば、コアパーツ１０に光源２を、第一環状パーツ１１’のスピーカー３を、第二環状パーツ１１”に光源２をそれぞれ配した場合には、ライト付きスピーカー装置より指向性を持った光を異なる二箇所に照射させるようにすることができ、例えば、ライト付きスピーカー装置の直下において位置を異ならせる二人の利用者にそれぞれかかる光を供給させるようにすることができる。また、例えば、コアパーツ１０に光源２を、第一環状パーツ１１’にスピーカー３を、第二環状パーツ１１”にスピーカー３をそれぞれ配した場合や、コアパーツ１０にスピーカー３を、第一環状パーツ１１’に光源２を、第二環状パーツ１１”にスピーカー３をそれぞれ配した場合には、ライト付きスピーカー装置より指向性を持った音を異なる二箇所に向けて送るようにすることができ、例えば、ライト付きスピーカー装置の直下において位置を異ならせる二人の利用者にそれぞれかかる音を供給させるようにすることができる。
【図面の簡単な説明】
【００３４】
【図１】ライト付きスピーカー装置の側面構成図
【図２】同断面構成図
【図３】同断面構成図
【図４】同平面構成図
【図５】同底面構成図
【図６】ライト付きスピーカー装置の他の構成例の側面構成図
【図７】同平面構成図
【図８】同底面構成図
【図９】ライト付きスピーカー装置のさらに他の構成例の側面構成図
【符号の説明】
【００３５】
１  ヘッド体
１０  コアパーツ
１１  環状パーツ
１２  外周パーツ
１３  インナーフレーム
１３ａ  フレーム自由端部
１３ｂ  フレーム基部
１４  アウターフレーム
１４ａ  フレーム自由端部
１４ｂ  フレーム基部
２  光源
３  スピーカー
４  支持体
【図１】
2008301326.tif 000003
【図２】
2008301326.tif 000004
【図３】
2008301326.tif 000005
【図４】
2008301326.tif 000006
【図５】
2008301326.tif 000007
【図６】
2008301326.tif 000008
【図７】
2008301326.tif 000009
【図８】
2008301326.tif 000010
【図９】
2008301326.tif 000011